(57)【要約】【課題】バリアフリー化のため、障害者用スロープが各所に設置されているが、勾配の急なものが多く、一般に体力的弱者である障害者等の車椅子利用者が、介添え者の力を借りずに自分一人でスロープを登ることはできないという問題点があった。本発明は、介添え者がいなくても、車椅子利用者がスロープを自分一人の力で登れるような登坂補助装置を提供することである。【解決手段】本発明の登坂補助装置は、スロープの手摺壁部または床面に、一対の滑車または歯車等の円形部材を介してベルトまたはチェーン等の無端ループ索を設置し、該ループ索には一定の間隔毎に突起または欠き込み等の係合部材を設け、所定方向に回転させるとともに、車椅子に設けた牽引部材を上記ループ索の係合部材に係合させることによって、介添え者のいない車椅子利用者が手放しでも、安全にスロープを登坂させることを特徴とする車椅子の登坂補助装置を提供する。【選択図】        図１
2004244129.tif 000002
【特許請求の範囲】
【請求項１】
スロープの手摺壁部に設置した一対の円形部材と、該円形部材に掛け渡された無端ループ索と、該ループ索に一定の間隔毎に設けられた係合部材とを備え、それらを所定方向に回転させるとともに、車椅子の前方部に上記係合部材に係合させる牽引部材を設けたことを特徴とする車椅子の登坂補助装置。
【請求項２】
無端ループ索の下側となる部分の係合部材先端部の位置に、該先端部および牽引部材の先端部が嵌合するガイドレールを設けた請求項１に記載の車椅子の登坂補助装置。
【請求項３】
ガイドレールに嵌合する牽引部材の先端部にローラーを設けた請求項１および２に記載の車椅子の登坂補助装置。
【請求項４】
一対の円形部材と、該円形部材に掛け渡された無端ループ索とをスロープ床面に設置した請求項１に記載の車椅子の登坂補助装置。
【発明の詳細な説明】
【０００１】
【発明の属する技術分野】
本発明は、スロープに設置して車椅子利用者の登坂を補助する登坂補助装置に関する。
【０００２】
【従来の技術】
各種建物や駅、道路等のバリアフリー化が積極的に推進されており、各所に障害者用スロープが設置されている。それらのスロープは、基準に基づいて作られているが、物理的・経済的に厳しい制約のなかで、勾配の急なものがほとんどである。一般に体力的弱者である障害者等の車椅子利用者が、介添え者の力を借りずに自分一人でスロープを登ることは不可能に近く、あまり利用されていないのが現状であった。
車椅子利用者にとって階段部分は、介添え者がいても車椅子では昇降が困難なため、特公平６−１５３９８のような斜行リフトや垂直リフト等多種多様なものが開発されているが、障害者用スロープについては介添え者がいれば登ることができるため、介添え者のいない車椅子利用者の登坂を補助するような装置はこれまでなかった。
車椅子利用者のための段差解消装置として、エレベータやエスカレータは従来からあるが、施設管理者にとってそれらを設置することはあまりにも負担が大きかった。また、電動車椅子や一般の車椅子を電動化するなどの方法が種々開発されているが、まだまだ高価であり利用者の負担が大きすぎるという問題があった。
【０００３】
【特許文献１】特公平６−１５３９８
【０００４】
【発明が解決しようとする課題】
本発明は、上記のような従来技術の問題点を解決して、介添え者のいない車椅子利用者がスロープを自分一人の力で登ることができるような登坂補助装置を提供することであり、真のバリアフリー実現を目指すものである。
【０００５】
【課題を解決するための手段】
介添え者のいない車椅子利用者が自分一人の力で登ることができないスロープに、車椅子の登坂補助装置を設置し、その装置に車椅子を係合させて登坂させることにより、従来技術の課題を解決するものである。
本発明の登坂補助装置は、スロープの手摺壁部または床面に設置した一対の円形部材と、該円形部材に掛け渡された無端ループ索と、該ループ索に一定の間隔毎に設けられた係合部材とを備え、それらを所定方向に回転させるとともに、車椅子の前方部に上記係合部材に係合させる牽引部材を設けたことを特徴とする車椅子の登坂補助装置を提供する。
【０００６】
【実施例１】
本発明の詳細を図面に基づいて説明する。図１における１はスロープ床面を示し、１Ａはスロープ部、１Ｂは下部踊り場、１Ｃは上部踊り場を示す。２は手摺壁を示し、２Ａはスロープ部、２Ｂは下部水平部、２Ｃは上部水平部を示す。手摺壁２Ａ、２Ｂの境付近には円形部材として歯車３Ａを、手摺壁２Ａ、２Ｃの境付近には歯車３Ｂを設置し、歯車３Ａ、３Ｂに無端ループ索としてチェーン４を掛け渡す。チェーン４が弛まないように歯車３Ａ、３Ｂはその間隔を調整できるように取り付けるか、あるいは必要に応じてチェーン張力付加歯車を設置する。
【０００７】
チェーン４には一定間隔毎に係合部材として突起５を設ける。突起先端部５ａの位置にガイドレール８を設け、チェーン４の垂れ下がりを防ぐように下から支えるとともに、図７のごとく突起先端部５ａをガイドレール８の溝部８ａに沿ってスライドさせるようにする。
歯車３Ａまたは３Ｂ付近に電動機６を設置し、電動機６によって歯車３Ａ、３Ｂおよびチェーン４を矢印７の方向に低速で回転させる。電動機６は歯車３Ｂを駆動させる方がより機能的である。
また、ガイドレール８に近い下側のチェーン４の突起５部分を除いて、保護カバー１２を設置する。
【０００８】
車椅子９の前方側部には、ガイドレール８の高さに合わせた位置に牽引部材１０を設ける。牽引部材１０には下向けに先端フック１０ａを設け、先端フック１０ａがガイドレール８の溝部８ａに嵌まり込むようにする。
牽引部材１０は、図５のごとく、その断面形状は丸でも角でもよく、先端フック１０ａには（ロ）のようにローラーを設けても構わない。また（ハ）のように、フックを設けずに大きなローラーを取り付けてもよい。
【０００９】
牽引部材１０の車椅子９への取り付け方法は、例えば図６のごとく鞘管１０ｃを介して固定し、上下方向には多少動くようにして、床面の凸凹によって車椅子９が上下動をしても、牽引部材１０の先端フック１０ａがガイドレール８の溝部８ａから外れないようにする。前後左右方向にはしっかりと固定することによって、牽引部材１０に加わった力を車椅子９に有効に伝えるとともに、牽引部材１０が車椅子の片側にしかなくても、車椅子９をスロープ１Ａに沿って真っ直ぐに登坂させることが可能となる。
【００１０】
図１では本装置がスロープ１の登り方向右側の手摺壁２に設置されているため、牽引部材１０は車椅子９の右側に設けているが、本装置は左右どちら側にあっても機能上は変わらない。車椅子９に取り付ける牽引部材１０もそれに合せて左右どちら側にあっても、両側にあってもよい。また現在利用されている車椅子は多種多様であるが、牽引部材１０の先端フック１０ａの位置および形状が所定のものであれば、車椅子の種類は問わず、また図６に拘らず任意の方法で取り付ければよい。
スロープに手摺壁がない場合には、本装置を取り付ける下地を鉄骨等で設ければよい。
【００１１】
使用方法は、車椅子利用者９ａは、自力で車椅子９を図２で図示するスロープ始点（１Ａ、１Ｂ境）まで走行させ、車椅子９の牽引部材１０の先端フック１０ａをガイドレール８の位置に合わせ、ガイドレール８の溝部８ａにはめ込む（図７参照）。ガイドレール８の下端部８ｂは、図４のごとくラッパ状に広がっており、牽引部材１０の先端フック１０ａが容易にガイドレール８の溝部８ａ内に導かれる構造となっている。
【００１２】
車椅子９の牽引部材１０の先端フック１０ａをガイドレール８の位置に合わせ、ガイドレール８の溝部８ａに嵌め込まれた状態で、手摺壁２Ｂに設けた起動釦１１を押せば、電動機６がスイッチオンとなり歯車３Ａ、３Ｂおよびチェーン４が低速で矢印７の方向に回転し、チェーン４の突起部５はガイドレール８に沿って動き出す。図３のごとく牽引部材１０は突起部５に押されてガイドレール８に沿って動くと同時に、車椅子９はスロープ１Ａに沿って登坂を開始する。車椅子９に固定された牽引部材１０の先端フック１０ａはガイドレール８の溝部８ａに沿って移動するため、車椅子利用者９ａが手放しでも、車椅子９はスロープ１Ａを低速で真っ直ぐに登坂する。
【００１３】
スロープ１Ａを登坂して上部踊り場１Ｃ近くに達したならば、車椅子利用者９ａは再び自力で走行を始めるだけでよい。牽引部材１０がガイドレール８から外れた後、タイマーやセンサー等により電動機６を自動的にスイッチオフさせる。
車椅子９がスロープ始点（１Ａ、１Ｂ境）の所定位置に達したならば、センサー等により装置を自動的に起動させることも可能であるが、車椅子利用者９ａが自分で起動釦１１を押して動かすほうが、心積もりができてより安全・安心である。
本装置は安全のため、一人ずつ登坂するものとして電動機６の能力を選定することが望ましいが、電動機６の能力を大きくすれば連続登坂も可能である。必要に応じて安全監視人を配備するなどの配慮も必要であろう。
【００１４】
【実施例２】
実施例１では、無端ループ索を手摺壁部に設置したもので説明しているが、無端ループ索を床面に設けることもできる。その実施例２について、特徴的な部分を図８および図９に基づいて説明する。
円形部材としての歯車３Ａをスロープ１Ａ、１Ｂ境付近に、歯車３Ｂをスロープ１Ａ、１Ｃ境付近に設け、スロープ勾配に沿った中央部および手摺壁際にそれぞれ中央部溝型ケース２１、壁際溝型ケース２２を設ける。溝型ケース２１、２２内および歯車３Ａ、３Ｂにチェーン４を無端ループ索として掛け渡し、中央部溝型ケース２１内のチェーン４が登り方向に動くように、歯車３Ａ、３Ｂを矢印７の方向に低速で回転させる。
【００１５】
チェーン４は、上面となるつなぎ板４ａの両側に係合部材としての突起５を設けたＴ字形突起５Ｔとし、溝型ケース２１、２２内に収める。溝型ケース２１、２２の底部中央は一段高くして、チェーン４との擦り合わせ面２１ａ、２２ａとし、チェーン４の滑りをよくするとともに、チェーン４に塵、埃等の付着しにくい構造とする。
【００１６】
壁際溝型ケース２２には保護カバー２３を設ける。歯車３Ａ，３Ｂ部分は車椅子９の片側の車輪が通行するため保護カバー踏板２４Ａ、２４Ｂを設け、十分な強度を持たせるとともに、端部には通行しやすいようにテーパー部２４ａ、２４ｂを設ける。なお、溝型ケース２１、２２の高さ分だけ周りの床を嵩上げするか、または事前にその高さ分だけ床に欠き込みを設けたスロープの場合には、テーパー部２４ａおよび２４ｂは不要となる。
【００１７】
一方車椅子９の前方中央下部には、その先端下側に２本爪部１０ｂを持った牽引部材１０を設ける。また、歯車３Ｂ近傍の中央部溝型ケース２１内には、図９（ロ）のごとく、２つ爪部１０ｂを下から押し上げるような斜め底板２５を設ける。
【００１８】
使用方法は、車椅子利用者９ａは、自力で車椅子９を図８で図示するスロープ始点（１Ａ、１Ｂ境）まで走行させ、車椅子９の牽引部材１０の先端２つ爪部１０ｂを、Ｔ字形突起５Ｔに係合した状態で、手摺壁２Ｂに設けた起動釦１１を押せば、電動機６がスイッチオンとなり歯車３Ａ、３Ｂおよびチェーン４が低速で矢印７の方向に回転する。チェーン４のＴ字形突起５Ｔは係合した牽引部材１０とともに登り方向に動き出し、牽引部材１０に牽引されて車椅子９はスロープ１Ａに沿って登坂を開始する。車椅子９の牽引部材１０は、車椅子の前方中央下部に固定されているため、車椅子利用者９ａが手放しでも、車椅子９はスロープ１Ａを低速で真っ直ぐに登坂する。
【００１９】
スロープ１Ａを登坂して上部踊り場１Ｃ近くに達し、牽引部材１０の２本爪部１０ｂが斜め底板２５の位置に達すると、斜め底板２５が２つ爪部１０ｂを下から押し上げて、牽引部材１０はＴ字形突起５Ｔから自動的に外れるため、車椅子利用者９ａは再び自力で走行を始めるだけでよい。牽引部材１０がＴ字形突起５Ｔから外れた後、タイマーやセンサー等により電動機６を自動的にスイッチオフさせる。
【００２０】
【発明の効果】
以上説明したように本発明は、スロープの手摺壁部または床面に設置した一対の円形部材と、該円形部材に掛け渡された無端ループ索と、該ループ索に一定の間隔毎に設けられた係合部材とを備え、それらを所定方向に回転させるとともに、車椅子の前方部に上記係合部材に係合させる牽引部材を設けたことを特徴とする車椅子の登坂補助装置であるため、車椅子利用者にとっては介添え者に代わって登坂を援助してくれるものであり、その行動範囲が大きく広がる。
【００２１】
本装置は、介添え者のいない車椅子利用者が手放しでも、安全にスロープを登ることができるだけでなく、車椅子を吊り上げたりせずにスロープを転がしながら登坂するため、利用者にとっては不安感が全くなくて安全・安心であるとともに、消費エネルギーも少なく環境負荷が小さい。
【００２２】
車椅子利用者は所定の位置まで自力走行し、牽引部材を係合部材に係合して起動釦を押すだけでスロープを登ることができる。登坂終了後は装置が自動的に停止するので、面倒な手間が掛からない。また、車椅子は装置に係合されているため、何らかの故障で電動機が停止しても、機械的摩擦のため急速に後退することはないので安心である。
【００２３】
スロープを下りる時は、従来どおり手でブレーキを掛けながら通行することもできるし、牽引部材を本装置の係合部材に係合させて機械的摩擦を利用しながらゆっくりと下りることもできる。
【００２４】
スロープに本装置が設置されていても、健常者の利用を妨げることもなく従来どおり通行できる。また、介添え者のいる車椅子利用者にとってなんら支障がないことは言うまでもない。
【００２５】
一般に体力的弱者である車椅子利用者の最たるバリアである急勾配スロープを、本装置によって介添え者の力を借りずに自分一人で登ることが可能となることは、真のバリアフリー対策として有効であり、高齢者や障害者等のハンディーキャップトの社会進出に大いに貢献するものである。
【図面の簡単な説明】
【図１】手摺壁に本装置を設置した実施例１の概要側面図である。
【図２】実施例１の概要部分平面図である。
【図３】実施例１の部分詳細図である。
【図４】実施例１のガイドレールの部分詳細斜視図である。
【図５】実施例１の牽引部材の部分詳細斜視図である。
【図６】実施例１の牽引部材の一例を示す斜視図である。
【図７】実施例１の牽引部材係合の部分詳細図である。
【図８】本装置を床に設置した実施例２の概要平面図である。
【図９】実施例２の牽引部材係合の部分詳細図である。
【符号の説明】
１：スロープ床面    １Ａ：スロープ部、１Ｂ：下部踊り場
１Ｃ：上部踊り場
２：手摺壁  ２Ａ：スロープ部、２Ｂ：下部水平部、２Ｃ：上部水平部
３Ａ、３Ｂ：歯車
４：チェーン
５：突起    ５ａ：突起先端部、５Ｔ：Ｔ字型突起
６：電動機
７：矢印
８：ガイドレール    ８ａ：溝部、８ｂ：下端部
９：車椅子    ９ａ：車椅子利用者
１０：牽引部材    １０ａ：先端フック、１０ｂ：２本爪部
１０ｃ：鞘管
１１：起動釦
１２：保護カバー
２１、２２：溝型ケース    ２１ａ、２２ａ：擦り合わせ面
２３：保護カバー
２４Ａ、２４Ｂ：保護カバー踏板    ２４ａ、２４ｂ：テーパー部
２５：斜め底板
【図１】
2004244129.tif 000003
【図２】
2004244129.tif 000004
【図３】
2004244129.tif 000005
【図４】
2004244129.tif 000006
【図５】
2004244129.tif 000007
【図６】
2004244129.tif 000008
【図７】
2004244129.tif 000009
【図８】
2004244129.tif 000010
【図９】
2004244129.tif 000011